【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ａ．軸の周りに配置されている第１の燃焼器および第２の燃焼器であって、前記各燃焼器が、前記燃焼器の少なくとも部分を横切って半径方向に延在するキャップ組立体と、前記キャップ組立体から下流にある燃焼室とを備える第１の燃焼器および第２の燃焼器を備える、燃焼ダイナミクスを低減するためのシステムであって、
ｂ．前記各キャップ組立体が、前記キャップ組立体を通って軸方向に延在して、前記キャップ組立体を通って前記燃焼室に流体連通をもたらす複数のチューブを備え、各チューブが、前記各チューブを通って延在して、前記各チューブ内に流体連通をもたらす燃料噴射装置とを備え、
ｃ．前記各キャップ組立体が、対応するキャップ組立体のそれぞれの上流面および下流面の間を画定する軸方向の長さを有し、前記第１の燃焼器内の前記キャップ組立体の前記軸方向の長さが、前記第２の燃焼器内の前記キャップ組立体の前記軸方向の長さと異なる、
システム。
【請求項２】
前記各キャップ組立体内の前記複数のチューブが、前記各キャップ組立体を横切って半径方向に配置されている複数のチューブ束の中に配置され、前記各チューブを通る前記燃料噴射装置が前記燃焼室から軸方向の距離に位置決めされ、前記軸方向の距離が、前記第１の燃焼器内の少なくとも２つの前記チューブ束に対して異なる、請求項１に記載のシステム。
【請求項３】
前記各キャップ組立体が、前記キャップ組立体を通って軸方向に延在して前記キャップ組立体を通って前記燃焼室に流体連通をもたらす燃料ノズルをさらに備え、前記各燃料ノズルが、軸方向に延在する中央本体と、前記軸方向に延在する中央本体の少なくとも部分を円周方向に取り囲むシュラウドと、前記中央本体と前記シュラウドとの間に半径方向に延在する複数の静翼と、前記複数の静翼の少なくとも１つを通る、前記燃焼室から第１の軸方向の距離にある第１の燃料ポートと、前記中央本体を通る、前記燃焼室から第２の軸方向の距離にある第２の燃料ポートとを備え、前記複数の静翼が、前記燃焼室から第３の軸方向の距離にある、請求項１に記載のシステム。
【請求項４】
前記第１の燃焼器の前記第１の軸方向の距離が、前記第２の燃焼器内の前記第１の軸方向の距離と異なる、
前記第１の燃焼器内の前記第２の軸方向の距離が、前記第２の燃焼器内の前記第２の軸方向の距離と異なる、または、
前記第１の燃焼器内の前記第３の軸方向の距離が、前記第２の燃焼器内の前記第３の軸方向の距離と異なる、
請求項３に記載のシステム。
【請求項５】
前記第１の燃焼器内の少なくとも２つの前記第１の軸方向の距離が、前記第２の燃焼器内の前記第１の軸方向の距離と異なること、
前記第１の燃焼器内の前記第２の軸方向の距離が、前記第２の燃焼器内の前記第２の軸方向の距離と異なること、および、
前記第１の燃焼器内の前記第３の軸方向の距離が、前記第２の燃焼器内の前記第３の軸方向の距離と異なること、
のうちの少なくとも２つを満たす、請求項３に記載のシステム。
【請求項６】
前記第１の燃焼器内の前記第１の軸方向の距離が、前記第２の燃焼器内の前記第１の軸方向の距離と異なり、前記第１の燃焼器内の前記第２の軸方向の距離が、前記第２の燃焼器内の前記第２の軸方向の距離と異なり、前記第１の燃焼器内の前記第３の軸方向の距離が、前記第２の燃焼器内の前記第３の軸方向の距離と異なる、
請求項３に記載のシステム。
【請求項７】
前記各燃焼器が複数の燃料ノズルを備え、前記第１の軸方向の距離、前記第２の軸方向の距離、または前記第３の軸方向の距離の少なくとも１つが、前記第１の燃焼器内の少なくとも２つの燃料ノズルに対して異なる、請求項３に記載のシステム。
【請求項８】
前記各燃焼器が複数の燃料ノズルを備え、前記第１の軸方向の距離、前記第２の軸方向の距離、または前記第３の軸方向の距離の少なくとも２つが、前記第１の燃焼器内の少なくとも２つの燃料ノズルに対して異なる、請求項３に記載のシステム。
【請求項９】
前記各燃焼器が複数の燃料ノズルを備え、前記第１の軸方向の距離、前記第２の軸方向の距離、および前記第３の軸方向の距離が、前記第１の燃焼器内の少なくとも２つの燃料ノズルに対して異なる、請求項３に記載のシステム。
【請求項１０】
ａ．軸の周りに配置されている第１の燃焼器および第２の燃焼器であって、前記各燃焼器が、前記燃焼器の少なくとも部分を横切って半径方向に延在するキャップ組立体と、前記キャップ組立体から下流にある燃焼室とを備える第１の燃焼器および第２の燃焼器を備える、燃焼ダイナミクスを低減するためのシステムであって、
ｂ．前記各キャップ組立体が、前記キャップ組立体を通って軸方向に延在して、前記キャップ組立体を通って前記燃焼室に流体連通をもたらす燃料ノズルを備え、前記各燃料ノズルが、軸方向に延在する中央本体と、前記軸方向に延在する中央本体の少なくとも部分を円周方向に取り囲むシュラウドと、前記中央本体と前記シュラウドとの間に半径方向に延在する複数の静翼と、前記複数の静翼の少なくとも１つを通る、前記燃焼室から第１の軸方向の距離にある第１の燃料ポートと、前記中央本体を通る、前記燃焼室から第２の軸方向の距離にある第２の燃料ポートとを備え、前記複数の静翼が、前記燃焼室から第３の軸方向の距離にあり、
ｃ．前記各キャップ組立体が、対応するキャップ組立体のそれぞれの上流面および下流面の間を画定する軸方向の長さを含み、前記第１の燃焼器内の前記キャップ組立体の前記軸方向の長さが、前記第２の燃焼器内の前記キャップ組立体の前記軸方向の長さと異なる、システム。
【請求項１１】
前記第１の燃焼器内の前記第１の軸方向の距離が、前記第２の燃焼器内の前記第１の軸方向の距離と異なり、
前記第１の燃焼器内の前記第２の軸方向の距離が、前記第２の燃焼器内の前記第２の軸方向の距離と異なり、または
前記第１の燃焼器内の前記第３の軸方向の距離が、前記第２の燃焼器内の前記第３の軸方向の距離と異なる、
請求項１０に記載のシステム。
【請求項１２】
前記第１の燃焼器内の少なくとも２つの前記第１の軸方向の距離が、前記第２の燃焼器内の前記第１の軸方向の距離と異なり、前記第１の燃焼器内の前記第２の軸方向の距離が、前記第２の燃焼器内の前記第２の軸方向の距離と異なり、または前記第１の燃焼器内の前記第３の軸方向の距離が、前記第２の燃焼器内の前記第３の軸方向の距離と異なる、請求項１０に記載のシステム。
【請求項１３】
前記第１の燃焼器内の前記第１の軸方向の距離が、前記第２の燃焼器内の前記第１の軸方向の距離と異なり、前記第１の燃焼器内の前記第２の軸方向の距離が、前記第２の燃焼器内の前記第２の軸方向の距離と異なり、前記第１の燃焼器内の前記第３の軸方向の距離が、前記第２の燃焼器内の前記第３の軸方向の距離と異なる、請求項１０に記載のシステム。
【請求項１４】
前記各燃焼器が複数の燃料ノズルを備え、前記第１の軸方向の距離、前記第２の軸方向の距離、または前記第３の軸方向の距離の少なくとも１つが、前記第１の燃焼器内の少なくとも２つの燃料ノズルに対して異なる、請求項１０に記載のシステム。
【請求項１５】
前記各燃焼器が複数の燃料ノズルを備え、前記第１の軸方向の距離、前記第２の軸方向の距離、または前記第３の軸方向の距離の少なくとも２つが、前記第１の燃焼器内の少なくとも２つの燃料ノズルに対して異なる、請求項１０に記載のシステム。
【請求項１６】
前記各燃焼器が複数の燃料ノズルを備え、前記第１の軸方向の距離、前記第２の軸方向の距離、および前記第３の軸方向の距離が、前記第１の燃焼器内の少なくとも２つの燃料ノズルに対して異なる、請求項１０に記載のシステム。
【請求項１７】
ａ．軸の周りに配置されている第１の燃焼器および第２の燃焼器であって、前記各燃焼器が、前記燃焼器の少なくとも部分を横切って半径方向に延在するキャップ組立体と、前記キャップ組立体から下流にある燃焼室とを備える第１の燃焼器および第２の燃焼器を備える、燃焼ダイナミクスを低減するためのシステムにおいて、
ｂ．前記各キャップ組立体が、前記キャップ組立体を通って軸方向に延在して、前記キャップ組立体を通って前記燃焼室に流体連通をもたらす燃料ノズルを備え、前記各燃料ノズルが、軸方向に延在する中央本体と、前記軸方向に延在する中央本体の少なくとも部分を円周方向に取り囲むシュラウドと、前記中央本体と前記シュラウドとの間に半径方向に延在する複数の静翼と、前記複数の静翼の少なくとも１つを通る、前記燃焼室から第１の軸方向の距離にある第１の燃料ポートと、前記中央本体を通る、前記燃焼室から第２の軸方向の距離にある第２の燃料ポートとを備え、前記複数の静翼が、前記燃焼室から第３の軸方向の距離にあり、
ｃ．前記各キャップ組立体が、対応するキャップ組立体のそれぞれの上流面および下流面の間を画定する軸方向の長さを有し、前記第１の燃焼器内の前記キャップ組立体の前記軸方向の長さが、前記第２の燃焼器内の前記キャップ組立体の前記軸方向の長さと異なる、
燃焼ダイナミクスを低減するためのシステム。
【請求項１８】
前記各キャップ組立体が、前記キャップ組立体を通って軸方向に延在して、前記キャップ組立体を通って前記燃焼室に流体連通をもたらす複数のチューブと、前記各チューブを通って延在して、前記燃焼室から軸方向の距離にある前記各チューブ内に流体連通をもたらす燃料噴射装置とを備え、前記第１の燃焼器内の前記軸方向の距離が、前記第２の燃焼器内の前記軸方向の距離と異なる、請求項１７に記載のシステム。
【請求項１９】
前記各キャップ組立体内の前記複数のチューブが、前記各キャップ組立体を横切って半径方向に配置されている複数のチューブ束の中に配置され、前記軸方向の距離が、前記第１の燃焼器内の少なくとも２つの前記チューブ束に対して異なる、請求項１８に記載のシステム。
【請求項２０】
前記第１の燃焼器内の前記第１の軸方向の距離が、前記第２の燃焼器内の前記第１の軸方向の距離と異なり、かつ、
前記第１の燃焼器内の前記第２の軸方向の距離が、前記第２の燃焼器内の前記第２の軸方向の距離と異なり、かつ、
前記第１の燃焼器内の前記第３の軸方向の距離が、前記第２の燃焼器内の前記第３の軸方向の距離と異なる、
請求項１７に記載のシステム。